(57)【要約】【課題】  扁平状に折畳まれているものを、ワンタッチ的に筒状に拡開させて起立でき、展示棚も同時に形成することができる起立型展示棚を提供する。【解決手段】  板状シートを連結して扁平状に折畳可能に且つ筒状に拡開可能に形成された支持本体２には、段状の支持段部がある。この支持段部の上に位置して物品を展示する展示棚体３が上記支持本体２に連結されており、支持本体２と共に折畳可能に形成されている。上記支持本体２及び展示棚体３を拡開させた状態で保持するよう上記支持本体内には保持体が設けられている。この保持体は扁平状に折畳可能に且つ筒状に拡開可能に形成され、上記支持本体２の裏面に固定されている。上記保持体内には該保持体を筒状に拡開させる方向に付勢する弾性体が設けられている。【選択図】  図１
2013220203.tif 000002
【特許請求の範囲】
【請求項１】
板状シートを連結して扁平状に折畳可能に且つ筒状に拡開可能に形成された支持本体と、該支持本体に形成された支持段部を有し、該支持段部の上に位置して物品を展示する展示棚体を備え、該展示体は上記支持本体に連結されていると共に折畳可能に形成されており、上記支持本体及び展示棚体を拡開させた状態で保持するよう上記支持本体内に設けられた保持体を具備し、該保持体は扁平状に折畳可能に且つ筒状に拡開可能に形成されて上記支持本体の裏面に固定され、且つ、上記保持体内には該保持体を筒状に拡開させる方向に付勢する弾性部材が設けられている起立型展示棚。
【請求項２】
上記展示棚体は、上記支持本体を扁平状に折畳んだときに扁平状に折り畳み可能にされ、上記支持本体を筒状に拡開したときに拡開されて支持段部の上に位置するように形成されている請求項１に記載の起立型展示棚。
【請求項３】
上記展示棚体は、底板を囲む前板、側板、背板により上面が開放された容器状に形成され、上記背板は上記支持本体に連結されており、上記前板と背板の間には拡開したときに容器状態を維持できる折り畳み可能な側板が位置している請求項１または２に記載の起立型展示棚。
【請求項４】
上記展示棚体は、その背面に孔を形成しており、この孔に上記支持本体に設けた係止片を挿入し、係止片に設けた係止突片を拡開して抜止として、上記支持本体と連結されて一体化されている請求項１〜３のいずれかに記載の起立型展示棚。
【請求項５】
上記支持本体には、支持段部が段状に形成されている請求項１〜４のいずれかに記載の起立型展示棚。
【請求項６】
上記保持体は、筒状体を構成するよう折畳可能に連結された複数の板と、筒状体の内部に設けられ一端が上記板に連結され他端が自由端となっている規制板を有し、該規制板の自由端は上記保持体が拡開されたとき対向する折線の内面に当接するように形成されている請求項１〜５のいずれかに記載の起立型展示棚。
【請求項７】
上記保持体は、略長方形状に形成された枚状の基板で構成され、一側端部に上記規制板を有し、該規制板に続き折線を介して複数の側壁板と連結板が連設され、上記規制板と連結板が内方に存するように折り込まれて筒状となっている請求項６に記載の起立型展示棚。
【発明の詳細な説明】
【技術分野】
【０００１】
本発明は、店内、ショールーム、展示場、店頭等において、床面上等に容易に起立させて展示棚に物品を展示することができ、折り畳んで撤去も簡単にできるようにした起立型展示棚に関する。
【背景技術】
【０００２】
従来から、起立状態にして使用する、例えば、次のような陳列棚が知られている。これは、天棚と陳列台になる筒部を有する外体を設け、外体の背板の中央は中畳線を介して背方向へ折り畳む事ができるようにしており、上記天棚と筒部との間へ中体を収納するようにしている。この中体はコの字形状に折り曲げた補強枠の中央正面から中棚の背部を差込み、また上記補強枠の下端には床板を取り付けていて、この補強枠を上記外体にプラスチック捩子で固定する。上記コの字形状をしている補強枠には中棚を挿入して固定することによって、床板、中棚、天棚に商品を載せて、展示、陳列できるようにしたものである（特許文献１）。
しかし、こうしたものでは、商品の展示、陳列ができるものの、各部材の組立てが面倒であり、誰でもが簡単に使用することができるというものではなかった。
【先行技術文献】
【特許文献】
【０００３】
【特許文献１】特開平１０−５７２０４号公報
【発明の概要】
【発明が解決しようとする課題】
【０００４】
本発明は、扁平状に折畳まれているものを、ワンタッチ的に筒状に拡開させて起立できるようにすると共に、展示用の棚も同時に形成することができるようにし、且つその状態を維持することができるような、取扱の容易な起立型展示棚を提供しようとするものである。
【課題を解決するための手段】
【０００５】
本発明は、板状シートを連結して扁平状に折畳可能に且つ筒状に拡開可能に形成された支持本体と、該支持本体に段状に形成された支持段部を有し、該支持段部の上に位置して物品を展示する展示棚体を備え、該展示体は上記支持本体に連結されていると共に折畳可能に形成されている。上記支持本体及び展示棚体を拡開させた状態で保持するよう上記支持本体内には保持体が設けられており、この保持体は扁平状に折畳可能に且つ筒状に拡開可能に形成されて上記支持本体の裏面に固定され、且つ、上記保持体内には該保持体を筒状に拡開させる方向に付勢する弾性体が設けられている起立型展示棚である。
【発明の効果】
【０００６】
本発明は、上記のように構成されているので、扁平状に折り畳まれている支持本体を押し広げるようにすると、支持本体内に配置されている保持体の弾性体による作用によって上記保持体が筒状に拡開され、これに伴って支持本体を筒状に拡開させて起立状態にすることができるようになると共に、展示棚体も拡開されて展示棚体が形成されるようになり、この状態を上記保持体が維持することができるので、このような起立型展示棚の起立状態を確実にすることができ、展示棚体に所望の物品の展示などを行うことができる。
また、上記支持本体を逆に押圧するようにすると、上記保持体はその弾性体の作用に抗して折畳まれるようになり、展示棚体も折畳まれて、全体を再び扁平状態に折畳んだ状態にできるので、保存や持運びに便利である。
【図面の簡単な説明】
【０００７】
【図１】本発明の一実施例の拡開起立状態を示す斜視図である。
【図２】図１に示す支持本体を形成する部材の展開図である。
【図３】図１に示す支持本体を形成する他の部材の展開図である。
【図４】図１に示す支持本体の拡開起立状態を示す斜視図である。
【図５】保持体の拡開された状態を示す斜視図である。
【図６】図４における保持体の取り付け状態を示す底面図である。
【図７】図６に示す保持体を扁平に押し潰した状態を示す底面図である。
【図８】支持本体への展示棚体の取り付け状態を示す一部省略斜視図である。
【図９】展示棚体の展開図である。
【図１０】支持本体に取り付ける表示板の正面図である。
【図１１】図１に示すものを扁平状に折畳んだ状態を示す斜視図である。
【図１２】図１１に示すものを、更に折り畳んだ状態を示す斜視図である。
【図１３】本発明の他の実施例の拡開起立状態を示す斜視図である。
【図１４】図１３に示すものを背面側から見た斜視図である。
【図１５】図１３に示すものの底面図である。
【図１６】図１３に示すものの支持本体の展開図である。
【図１７】図１３に示すものの展示棚体の展開図である。
【図１８】図１３に示すもの扁平状に折畳んだ状態を示す斜視図である。
【発明を実施するための形態】
【０００８】
図１は本発明の一実施例を示し、起立型展示棚１は、縦長の支持本体２とこれに支持された展示棚体３を有しており、図示のものでは展示棚体３を階段状に３段に設けているが、１段とか適当な段数のものにすることができる。
【０００９】
上記支持本体２は、紙、プラスチックなどで作られた段ボール、板紙その他の材料によって図２及び図３に示すような板状シート４、５によって形成されている。図２に示す板状シート４は、下方から上方に向って第１区帯１０１、第２区帯１０２、第３区帯１０３、第４区帯１０４があり、第１区帯１０１においては、折線１０６、１０７、１０８を介して折込片１１１、背面板１１２、側面板１１３、折込片１１４が連設されている。
【００１０】
第２区帯１０２では折線１０６、１０７、１１６を介して折込片１２６、背面板１１２、側面板１２０、係止片１２３を連設しており、第３区帯１０３では折線１０６、１０７、１１７を介して折込片１２７、背面板１１２、側面板１２１、係止片１２４を連設しており、第４区帯１０４では折線１０６、１０７、１１８を介して折込片１２８、背面板１１２、側面板１２２、係止片１２５を連設していて、上記第１区帯１０１から第４区帯１０４に向って、側面板１１３、１２０、１２１、１２２は順次幅が狭くなっており、後記する展示棚体を支持する支持段部１７、１８、１９を形成している。
【００１１】
図３に示す板状シート５は、上記板状シート４における間隔と同様に下方から上方に向って第１区帯１３１、第２区帯１３２、第３区帯１３３、第４区帯１３４があり、第１区帯１３１においては、折線１３６、１３７、１３８を介して折込片１４１、側面板１４２、前面板１４３、折込片１４４が連設されている。
【００１２】
その第２区帯１３２では折線１３６，１４６を介して折込片１５６、側面板１５０、係止片１５３を連設しており、第３区帯１３３では折線１３６、１４７を介して折込片１５７、側面板１５１、係止片１５４を連接しており、第４区帯１３４では折線１３６、１４８を介して折込片１５８、側面板１５２、係止片１５５を連設していて、上記第１区帯１３１から第４区帯１３４に向って、上記板状シート４におけるのと同様に側面板１４２、１５０、１５１、１５２は順次幅が狭くなっており、支持段部２７、２８、２９を形成している。
【００１３】
上記図２の板状シート４は、折線１０６、１０７、１０８を各々谷折し、図３の板状シート５は、折線１３６、１３７、１３８を各々谷折し、板状シート４の折込片１１１、１２６、１２７、１２８と、板状シート５の折込片１４１、１５６、１５７、１５８を各々重ね合わせ、第１区帯１０１、１３１の重なり合った折込片１１１及び１４１の傾斜切り込み１２９及び１５９と、１３０及び１６０の間にゴムバンド１６１を掛け渡す。また、第２区帯１０２と１３２、第３区帯１０３と１３３、第４区帯１０４と１３４においても同様にして、折込片１２６と１５６、折込片１２７と１５７、折込片１２８と１５８とを各々重ね合わせてゴムバンド１６１を掛け渡して連結する。
【００１４】
更に、第１区帯１０１の側面板１１３に設けた折込片１１４と、第１区帯１３１の前面板１４３に設けた折込片１４４を同様に重ね合わせ、重なり合った傾斜切り込み１０９及び１３９と、１１０及び１４０の間にゴムバンド１６２を掛け渡して連結すると、支持本体２を起立した筒状に組立てることができる。
上記各折込片は、ゴムバンドではなく後記するように接着剤その他の方法で連結して一体的にすることもできる。
【００１５】
この支持本体２の板状シート４、５の第１区帯１０１、１３１によって形成されている部分には、図４に示すように保持体６が位置しており、筒状に拡開可能に、また、扁平状に折畳可能に形成されていて、これによって扁平状にされている支持本体２を筒状に拡開し、その拡開状態を保持することができるようにしている。
【００１６】
上記保持体６は、図５に示すように、略長方形状の段ボールその他の基板３１に折線３２、３３、３４、３５，３６を介して、連結板４１、側壁板４２、４３、４４、４５、規制板４６を連設している。上記折線３２、３３、３４、３５，３６を各々谷折して筒状に形成し、折線３２と３６を接合状態にし、連結板４１が規制板４６と重なるようにする。上記連結板４１と規制板４６が重なっている部分には掛止片４７を設け、側壁板４４の折線３４に近接した部分に設けた掛止片４８との間にゴムバンドその他の弾性体４９が掛け渡されていて、この保持体６が拡開された筒状態となるように付勢されている。
【００１７】
こうした弾性体４９の付勢によって、上記規制板４６の自由端５０は、上記折線３４の内側に突き当たり、保持体を拡開された筒状に維持することができる。
また、この保持体６の折線３３と折線３５の方向から押え付けるようにすると、上記弾性体４９を引伸ばしながら、この保持体６を扁平な状態に折り畳むことができる。
【００１８】
この保持体６が拡開されて筒状になっているときに、その側壁板４３、４５は、同じく拡開されている支持本体１の第１区帯の側面板１１３、１４２に接触するように形成されている。（図４、図６）こうした両者の接触状態を維持することができるように接着剤その他の固定手段で固定するとよく、支持本体２の折畳み（図７）、及び拡開を確実に行うことができる。後記する展示棚体に軽いものを載せて展示するような場合などでは、一方の側面板との間で固定すれば足りることもある。また、図示の保持体の基板３１では、糊代７０によって貼り合わせて１枚状にしているが、１枚シートを使用することもできる。
【００１９】
展示棚体３は、図８に示すように背板５５、底板５６、前板５７、側板５８、５８によって、上方が開放された箱状に形成されている。上記側板５８、５８には、背板５５と底板５６の交点から伸びる折線５９、５９が形成してあり、また、前板５７側には底板５６と同一面に押し広げられるように折線が形成されている。この折線で折ると、前板５７を底板５６と同一面状に拡げるように倒し、次に、そうしたものを、側板の折線５９、５９で折ると、底板５６及び前板５７が背面板５５に重なり、平板状になって展示棚体３を折畳むことができる。逆に、折線５９、５９を拡げれば、再び、箱状に拡開することができる。
【００２０】
図９には、図８に示す展示棚体３の展開図が示されている。この展示棚体３は、折線６１、６２、６３、６４、６５を介して、補強背板６６、背板５５、底板５６、前板５７、補強前板６７、補強底板６８を連設している。背板５５の両側には折線６９、６９を介して側板５８、５８を延設し、側板５８、５８の下方には折線７０、７０を介して補強用底板７１，７１を延設し、側板５８、５８の側方には折線７２、７２を介して連結片７３、７３を延設していて、この連結片７２には上記した前板５７を押し広げるための折線６０、６０を設けている。
【００２１】
上記折線６１を谷折して補強背板６６を背板５５に折り重ねるが、折り重ねた状態で両者を接着状態にすると強度が増して、一層好ましい。折線６２、６３、６９、７０を谷折して、背板５５、前板５７、側板５８、５８によって箱状にして補強用底板７１、７１を底板５６の上に載せるようにして、補強片７３の折線６０の外側部分の糊代７４を前板５７の内側に貼付すると容器状にすることができる。次に、折線６４を山折にし、折線６５を谷折にして、補強前板６７を前板５７の内側に位置させ、補強底板６８を底板５６及び補強用底板７１の上に重ね合わせると展示棚体３になる。（図８）
上記補強底板６８は、他の板体よりも丈夫な材料で作ることができ、図示のものでは、補強前板６７に延設した糊代７５によって、丈夫な補強底板６８を貼り付けて形成しており、展示棚体における重いものの展示にも対応することができる。
【００２２】
上記展示棚体３の背板５５には、その左右に、並行して縦に延びる１対の孔７６、７７と、孔７８、７９が設けられており、外側の孔７６と７８の間隔は、支持本体２の背面板１１２の横幅と同じ間隔にされている。図４、図８、図９に示すように、展示棚体３を支持本体２の２段目（中段）に取り付けているものでは、支持本体２の係止片１２４を上記展示棚体２の背板５５に設けた孔７６の後方から挿通し、更に折り返して孔７７に通して、背板５５の裏側で抜止片１６３、１６４を拡げて抜止とする。同様に、支持本体２の係止片１５４を上記背板５５の孔７８、７９に挿通し、背板５５の裏側で抜止片１６５、１６６を拡げて抜止とすると、上記展示棚体３は支持本体２の側板１２１、１５１に連結されて固定される。
【００２３】
このとき、展示棚体３の底板５６は支持本体２の側板１２０に設けた支持段部１８、及び側板１５０に設けた支持段部２８の上に接するように載って、展示棚体３がこの支持段部１８、２８によって支えられるようになる。
【００２４】
上記支持本体２の３段の設けられている上段、下段においても、図８に示した上記中段における場合と同様にして、展示棚体３を支持本体２に連結、固定し、支持段部１９と２９により、また支持段部１７と２７によって支えることができる。
このようにして、拡開状態にある起立型展示棚１において、この拡開状態は、支持本体２内に設けてある上記保持体６によって、維持されているので、展示棚体３に各種の物品を載せて、安定的に、効果的な展示を行うことができる。
【００２５】
上記支持本体２には、図１０に示すように、板状体１７５に、上記展示棚体３の背板５５に設けた孔７６、７７、７８、７９に対応するような孔１７６、１７７、１７８，１７９を設けた表示板１７４を別途用意している。上記展示棚体３を支持本体２の上段にその係止片１２５、１５５を使用して連結するときに、上記孔７６、７７、７８、７９と孔１７６、１７７、１７８、１７９を合致させて同時に連結するようにして固定することができる。こうすると、表示板に所望の表示を行って、展示の効果を一層高めることができる。（図１）
【００２６】
こうした、起立型展示棚１は、次のようにして折り畳むことができる。先ず、展示棚体３について図８に示すように、補強底板６８、補強前板６７を内部から抜き出し、折線６０によって前板５７を前方に倒して底板５６と同一面状とし、更に、側板５８の折線５９によって底板５６を背板５５に重ねるようにすると、展示棚体３は平板状に折り畳むことができる。
【００２７】
各展示棚体３について夫々同様にして平板状に折り畳んでから、支持本体２の折線１０７と１３７の部分から押え付けるようにすると、支持本体２内に位置している保持体６も折線３３と３５の部分から押されて、弾性体４９を引伸ばしながら、規制板４６の自由端５０が折線３４の内側から離れ、保持体６と支持本体２は同時に押し潰されるようになり、平板状になって折り畳まれるので、この状態で保存したり、運搬したりすることができる。（図１１）
【００２８】
図１１に示すものには、支持本体２を形成する第２区帯１０２と第３区帯１０３の間に折線１７３を設けており、この折線によって折り畳むと図１２に示すように更に小さな状態にすることができる。
【００２９】
このようにして折り畳まれている起立型展示棚１は、図１２の状態から図１１の状態に拡げ、支持本体２の折線１０６と１０８の部分から押えるようにすると、支持本体２内に位置している保持体６の折線３４と３６の部分も同時的に押され、保持体６に設けられている弾性体４９が縮んで行くようになるから、それにつれて支持本体２もスムーズに開いて行く。
上記保持体６の規制板４６の自由端５０が折線３４の内側に突き当たると保持体６が筒状になり、同時に支持本体２も筒状に拡開され、弾性体４９の引張り作用でこの状態が維持されるので、支持本体２は起立して筒状の拡開状態に維持される。
【００３０】
上記支持本体２が筒状の拡開されるとき、支持本体２の側面板に連結されて折畳まれている展示棚体３は、その側板５８の折線５９、５９も自然と開くようになるので、前板５７部分の折線６０を開きながら補強前板６７、補強底板６８を内側に折り込むようにすると、展示棚体３が組立てられて起立型展示棚１となるので、展示に使用することができる。
【００３１】
上記した起立型展示棚１を構成している支持本体２、展示棚体３、表示板１７４などの表面には、展示具に相応しい文字、図案、絵、図形など各種の表示を表示すると、展示の効果を一層高めることができる。
【００３２】
図１３、１４には、他の例の起立型展示棚１１が示されていて、縦長の支持本体１２に支持された展示棚体１３が階段状に２段に設けられている。
【００３３】
上記支持本体１２は、図１６に示すように上記と同様の１枚の板状シート１４によって形成されており、折線２０６、２０７、２０８、２０９を介して背面板２１２、側面板２１３、前面板２１４、側面板２１５、糊代２１１が連設されている。
上記側面板２１３には、下方から第１区帯２０１、第２区帯２０２、第３区帯２０３となっていて、上方に向って次第に幅が狭くなっており、支持段部２２２、２２３を形成している。
【００３４】
上記第２区帯２０２には折線２１６を介して下方から補強片２１７、係止片２１８、補強片２１９を延設しており、この係止片２１８の先端部の両側には抜止片２２０、２２０を設けている。
上記第３区帯においても同様に、折線２２６を介して下方から補強片２２７、係止片２２８、補強片２２９を延設しており、この係止片２２８の先端部の両側には抜止片２３０、２３０を設けている。
【００３５】
上記した側面板２１３と対称的に側面板２１５が形成されており、下方から第１区帯２３１、第２区帯２３２、第３区帯２３３となっていて、支持段部２５２、２５３が形成されている。
上記第２区帯２３２には折線２３６を介して下方から補強片２３７、係止片２３８、補強片２３９を延設しており、この係止片２３８の先端部の両側には抜止片２４０、２４０を設けている。また、第３区帯２３３においても同様に、折線２４６を介して下方から補強片２４７、係止片２４８、補強片２４９を延設しており、この係止片２４８の先端部の両側には抜止片２５０、２５０を設けている。
【００３６】
上記折線２０６、２０７、２０８、２０９で折り曲げ、糊代２１１を背面板２１２に貼付け等によって固定すると、筒状になって起立することができる支持本体１２を形成することができる。図１６に示すものでは、背面板２１２、側面板２１３、前面板２１４、側面板２１５の下方には折線２４１を介して補強片２４２、２４３、２４４、２４５を設けており、折線２４１によって内側に折り曲げて支持本体１２の底部を補強することができる。また、前面板２１４の上部にも折線を介して補強片２５４を延設している。
【００３７】
この支持本体１２において、上記側面版２１３、２１５の第１区帯２０１、２３１及び、第２区帯２０２、２３２の部分には、上記実施例の保持体６と同様に形成された保持体１６が位置しており、上記したのと同様に筒状に拡開可能、扁平状に折畳可能にでき、支持本体１２を拡開状態にして保持することができる。（図１５）
【００３８】
展示棚体１３は、上記と同様に背板２５５、底板２５６、前板２５７、側板２５８、２５８によって、上方が開放された箱状に形成されており、図１７に示すように、１枚の板状体で形成されて補強背板２６６が背板２５５の全面を覆うようにしている他は、上記の図９に示すものと同じようにされている。図１７に示すものでは、図９に対応して、２００番台の符号を付して表示している。
【００３９】
この展示棚体１３の支持本体１２への取り付けは、上記した展示棚体３の〔支持本体２への取り付けと同様であり、側面体に設けた係止片を展示棚体１３の背板２５５に設けた孔に挿通して係止したあとで、背板２５５の上を補強背板２６６で覆うようにする点で異なっているだけである。
【００４０】
上記支持本体１２にも、図１３、１４に示すように、表示板２８１が取り付けられている。この表示板２８１の下方に角枠状にした係止部（図示略）が設けてあり、支持本体１２の背面板２１２と側面板２１３、２１５の第３区帯２０３、２３３と、展示棚体１３の背板２５５によって形成されるスペース２８２に上記係止部が嵌り合って取り付けできるようになっている。
【００４１】
こうした、起立型展示棚１１は、上記と同様に、先ず、展示棚体１３を平板状に折り畳み、支持本体１２の対向する折線の部分側から押え付けるようにして、支持本体１２内に位置している保持体１６の弾性体を引伸ばしながら押し潰して行くと、図１８に示すように、全体が平板状になって折り畳まれる。
【００４２】
このようにして折り畳まれている起立型展示棚１１は、平板状になっている支持本体１２を拡げるようにすると、保持体１６に設けられている弾性体が縮んで行き、それにつれて支持本体１２も更に開いて筒状に拡開されて起立し、この拡開起立状態を保持体１６が維持するようになる。
その後、展示棚体１３を同様にして組立てると、起立型展示棚１１となるので、展示に使用することができる。
【００４３】
上記支持本体は断面が４辺形に形成されているが、適宜折畳み可能な多辺形に形成することができるし、また、上記展示棚体に設けられている補強底板を省略し、補強前板を底板側に押込むようにして組み立て固定できるようにすることもできる。
【符号の説明】
【００４４】
１、１１    起立型展示棚
２、１２    支持本体
３、１３    展示棚体
４、５、１４  板状シート
６、１６    保持体
１７、１８、１９、２７、２８、２９  支持段部
４１    保持体の連結板
４２、４３、４４、４５  保持体の側壁板
４６    保持体の規制板
４９    保持体の弾性体
５５    展示棚体の背板
５６    展示棚体の底板
５７    展示棚体の前板
５８    展示棚体の側板
５９    展示棚体の側板の折線
１０１、１３１、２０１、２３１  支持本体の第１区帯
１０２、１３２、２０２、２３２  支持本体の第２区帯
１０３、１３３、２０３、２３３  支持本体の第３区帯
１０４、１３４  支持本体の第４区帯
２２２、２２３、２５２、２５３  支持段部
【図１】
2013220203.tif 000003
【図２】
2013220203.tif 000004
【図３】
2013220203.tif 000005
【図４】
2013220203.tif 000006
【図５】
2013220203.tif 000007
【図６】
2013220203.tif 000008
【図７】
2013220203.tif 000009
【図８】
2013220203.tif 000010
【図９】
2013220203.tif 000011
【図１０】
2013220203.tif 000012
【図１１】
2013220203.tif 000013
【図１２】
2013220203.tif 000014
【図１３】
2013220203.tif 000015
【図１４】
2013220203.tif 000016
【図１５】
2013220203.tif 000017
【図１６】
2013220203.tif 000018
【図１７】
2013220203.tif 000019
【図１８】
2013220203.tif 000020